(57)【要約】【課題】防水機能がある照明器具を提供する。【解決手段】天井その他の被取付部に固定される照明器具１００において、出射口１４と開口部１０１を有する光源ユニット１１０と、前記出射口１４から露出した出射部材２１と、前記開口部１０１を覆う蓋ユニット１３０とを備え、前記光源ユニット１１０は、前記出射口１４と前記出射部材２１とに密着した環状パッキン２２を有し、前記蓋ユニット１３０は、前記光源ユニット１１０と密着し前記被取付部に密着する防水材７０を有する。【選択図】図６
2018097923.tif 000002
【特許請求の範囲】
【請求項１】
被取付部に固定される照明器具において、
出射口と開口部を有する光源ユニットと、
前記出射口から露出した出射部材と、
前記開口部を覆う蓋ユニットとを備え、
前記光源ユニットは、前記出射口と前記出射部材とに密着した環状パッキンを有し、
前記蓋ユニットは、前記光源ユニットと密着し前記被取付部に密着する防水材を有する照明器具。
【請求項２】
前記光源ユニットは、前記出射口が形成されたカバー部と、前記カバー部に固定された光源取付部とを有し、
前記環状パッキンは、前記カバー部と前記光源取付部との固定により前記出射口に押圧されている請求項１記載の照明器具。
【請求項３】
前記光源ユニットは、前記環状パッキンと前記光源取付部との間に加圧スペーサを有し、
前記環状パッキンは、前記カバー部と前記加圧スペーサとに挟まれて前記出射口に押圧されている請求項２記載の照明器具。
【請求項４】
前記光源ユニットは、スイッチ孔を有し、
前記スイッチ孔に嵌め込まれたスイッチカバーと、
前記スイッチカバーを介して操作されるスイッチと
を備えた請求項１から３いずれか１項に記載の照明器具。
【請求項５】
前記防水材は、一面が前記開口部に密着するとともに、他面が前記被取付部に密着している請求項１から４いずれか１項に記載の照明器具。
【請求項６】
前記光源ユニットは、前記蓋ユニットを取り付ける取付部を有し、
前記取付部は、前記光源ユニットの軸と直交するリング部と前記リング部の外周から軸の方向に伸びたスカート部とを有し、
前記防水材は、先端が前記リング部の裏面と密着した環状壁を有する請求項１から５いずれか１項に記載の照明器具。
【請求項７】
前記防水材は、一つ以上の防水環部を有し、前記防水環部が前記被取付部に密着する請求項１から６いずれか１項に記載の照明器具。
【請求項８】
前記防水材は、表面において前記開口部と密着する密着環部を有し、
前記防水材は、裏面において前記密着環部と対応した位置に防水環部を有し、前記防水環部が前記被取付部に密着する請求項１から６いずれか１項に記載の照明器具。
【請求項９】
周囲に環状パッキンが取り付けられた出射部材と、
出射口を有するカバー部と、
前記カバー部に固定された光源取付部と、
前記光源取付部と前記環状パッキンとの間に配置され、前記環状パッキンを前記出射口に押し付ける加圧スペーサと
を備えた照明器具。
【請求項１０】
スイッチ孔が形成されたカバー部と、
前記スイッチ孔に嵌め込まれ前記スイッチ孔を覆うスイッチカバーと、
前記スイッチカバーを介して操作されるスイッチと
を備えた照明器具。
【発明の詳細な説明】
【技術分野】
【０００１】
本発明は、照明器具に関するものであり、特に、防水形照明器具及び非常用照明器具に関するものでる。
【背景技術】
【０００２】
従来から、軒下又は屋外などに設置される照明として防水性能を求められる照明器具があり、特に非常用照明器具に関しては、それら防水性能に加えて、火災・地震の災害時に起きる停電状態においても、避難時に必要とされる照度を維持することが要求されている。
【０００３】
照明器具の筐体を防水構造とし、防水性能を有さない点灯装置及び蓄電池その他の部材を、その筐体の内部に収納することによって、照明器具内部に水の浸入を防ぎ、前記防水性能を有さない部材を保護する形をとっている。
【０００４】
特許文献１の照明器具であれば、ガラスグローブの開口を本体に密嵌し、その内部に光源、配光制御部材、及び、電池を配設することで防水性能を有する照明器具となっている。
【先行技術文献】
【特許文献】
【０００５】
【特許文献１】特開平４−０４２０１０号公報（ガラスグローブによる防水構造）
【特許文献２】特開２０１５−１４１８５０号公報（誘導灯を覆うケースによる防水構造）
【特許文献３】特許第３９２４９７８号公報（天井と器具との間に設けるパッキン構造）
【特許文献４】特開平１０−２４１４５３号公報（点検用引き紐スイッチに係る防水構造）
【特許文献５】実開平５−８８０８号公報（ミニハロゲンを内蔵する防水構造）
【特許文献６】実開平７−４１８４３号公報（ミニハロゲンを内蔵する防水構造）
【特許文献７】特開２０１６−１６２５０３号公報（非常用照明器具）
【特許文献８】特開２０１６−１６２５０４号公報（非常用照明器具）
【特許文献９】特開２０１６−１６２５０５号公報（非常用照明器具）
【特許文献１０】特開２０１６−１６２５０６号公報（非常用照明器具）
【発明の概要】
【発明が解決しようとする課題】
【０００６】
特許文献１に開示された照明器具のように、照明器具をガラスグローブで覆った構成とした場合、ガラスグローブの肉厚の製造ばらつきが大きいため、照明器具の照度が変化してしまう。
【０００７】
本発明の実施の形態では、ガラスグローブを用いないで防水機能を向上させた照明器具を提供することを目的とする。
【課題を解決するための手段】
【０００８】
この発明は、被取付部に固定される照明器具において、
出射口と開口部を有する光源ユニットと、
前記出射口から露出した出射部材と、
前記開口部を覆う蓋ユニットとを備え、
前記光源ユニットは、前記出射口と前記出射部材とに密着した環状パッキンを有し、
前記蓋ユニットは、前記光源ユニットと密着し前記被取付部に密着する防水材を有することを特徴とする。
【発明の効果】
【０００９】
本発明によれば、ガラスグローブを用いないで防水機能を向上させた照明器具を提供することができる。
【図面の簡単な説明】
【００１０】
【図１】実施の形態１における照明器具１００の斜視図である。
【図２】実施の形態１における照明器具１００の正面図である。
【図３】実施の形態１における照明器具１００の側面図である。
【図４】実施の形態１における照明器具１００の背面図である。
【図５】実施の形態１における照明器具１００の正面透視図である。
【図６】実施の形態１における照明器具１００の分解斜視図である。
【図７】実施の形態１における照明器具１００のＡ−Ａ断面図である。
【図８】実施の形態１における照明器具１００のＢ−Ｂ断面図である。
【図９】実施の形態１における照明器具１００の光源ユニット１１０のＢ−Ｂ拡大断面図である。
【図１０】実施の形態１における照明器具１００の光源ユニット１１０のＣ−Ｃ拡大断面図である。
【図１１】実施の形態１における照明器具１００の光源部２０の分解斜視図である。
【図１２】実施の形態１における照明器具１００の光源ユニット１１０のＣ部のＡ−Ａ拡大断面図である。
【図１３】実施の形態１における照明器具１００の取付部１３のＤ部のＡ−Ａ拡大断面図である。
【図１４】実施の形態１における照明器具１００の通気路８０のＢ−Ｂ拡大断面図である。
【図１５】実施の形態１における照明器具１００の通気路８０を示す防水材７０の斜視図である。
【図１６】実施の形態２における点灯ユニット１２０と蓋ユニット１３０の分解斜視図である。
【図１７】実施の形態２における照明器具１００の正面透視図である。
【図１８】実施の形態２における点灯ユニット１２０と蓋ユニット１３０の組み立て図である。
【図１９】実施の形態３における照明器具３００の斜視図である。
【図２０】実施の形態３における照明器具３００の正面図である。
【図２１】実施の形態３における照明器具３００の背面図である。
【図２２】実施の形態３における照明器具３００の内部側面図である。
【図２３】実施の形態３における照明器具３００の側面断面図である。
【図２４】実施の形態３における照明器具３００の分解斜視図である。
【図２５】実施の形態３における照明器具３００の分解斜視図である。
【図２６】実施の形態３における他の照明器具３００の側面断面図である。
【発明を実施するための形態】
【００１１】
実施の形態１．
本実施の形態の照明器具１００は、照明器具であって、具体的には、天井その他の被取付部に直付け固定される天井直付け型の非常用照明器具である。
【００１２】
＊＊＊用語の説明＊＊＊
以下の説明において用いる用語に意味は、以下のとおりである。
軸Ｏ：照明器具１００の中心軸。
直径方向：照明器具１００の軸Ｏに中心がある、軸Ｏと直交する直線の方向
半径方向：照明器具１００の軸Ｏから外側に向く、軸Ｏと直交する直線の方向。
表面：光の出射方向にある面。
裏面：光の出射方向と反対の面。
正面図：光の出射方向と反対の方向から照明器具１００を見た図。
背面図：光の出射方向と同じ方向に向かって照明器具１００を見た図。
【００１３】
＊＊＊照明器具１００の構成の説明＊＊＊
図１、図２、図３、図４、図５、及び、図６を用いて、照明器具１００の構成を説明する。
照明器具１００は、配線孔のある天井その他の被取付部に固定される。
照明器具１００は、光源ユニット１１０と点灯ユニット１２０と蓋ユニット１３０とを備えている。
【００１４】
光源ユニット１１０は、カバー部１０と光源部２０とを備えている。
光源ユニット１１０は、出射口１４と開口部１０１との２個の開口を有する。
【００１５】
点灯ユニット１２０は、点灯装置３０と電源端子台４０と固定台５０とを備えている。
【００１６】
蓋ユニット１３０は、開口部１０１を覆うものであり、天板６０と防水材７０とを備えている。
蓋ユニット１３０は、光源ユニット１１０と被取付部とに密着した防水材７０を有する。
点灯装置３０と電源端子台４０と固定台５０とは、カバー部１０と天板６０とに収納された内部部品である。
【００１７】
光源部２０は、光源２６を有し、カバー部１０の出射口１４を塞ぐように取り付けられる。
点灯装置３０は、カバー部１０の内部に配置され、電力を光源２６に供給する。
点灯装置３０は、光源２６を点灯させる制御装置として機能する。
電源端子台４０は、カバー部１０の内部に配置され、外部の商用電源からの電線を接続し、点灯装置３０に電力を供給する。
固定台５０は、カバー部１０の奥に配置され、点灯装置３０と電源端子台４０を固定している。
天板６０は、カバー部１０の開口部１０１を覆う蓋であり、固定台５０を固定している。
【００１８】
＜＜カバー部１０＞＞
カバー部１０は、ハット形状をしており、概ね筒状の形状をしている。
カバー部１０は、一面に開口部１０１を有する有底円筒形状をしている。
カバー部１０は、金属その他の不燃材料により形成されている。
カバー部１０は、点灯装置３０と電源端子台４０と固定台５０とを収納した金属筐体である。
【００１９】
カバー部１０は、前カバー１１と側カバー１２と取付部１３を有する。
前カバー１１は、側カバー１２の一端にあり、側カバー１２の一端を覆うカバーである。
前カバー１１は、カバー部１０の前面を塞いでいる金属円形板である。
前カバー１１は、中央に円形の出射口１４を有する。
側カバー１２は、中空の円筒形あるいは円錐台形のカバーである。
側カバー１２は、パイプ形状をしている金属円筒板である。
取付部１３は、蓋ユニット１３０を取り付けるものである。
取付部１３は、側カバー１２の他端に庇状に形成されており、全体としてドーナツ形状をしている。
カバー部１０は、スイッチ孔１５と、スイッチ孔１５に嵌め込まれ、スイッチ孔を覆うスイッチカバー１９とを有する。
開口部１０１は、取付部１３の一端に形成された円形開口である。
【００２０】
前カバー１１は、出射口１４とスイッチ孔１５とネジ孔１６を有する。
出射口１４は、出射部材２１を露出させる円形開口である。
図９、図１０及び図１２に示すように、収納部１４１は、環状パッキン２２を収納する空間である。
押え部１４２は、前カバー１１から突出したリング面であり、出射口１４の周囲にあり、環状パッキン２２を軸Ｏ方向に抑える部分である。
傾斜部１４３は、収納部１４１を前カバー１１から突出させた傾斜面である。
スイッチ孔１５は、スイッチ３３を露出させる円形開口である。
ネジ孔１６は、光源部２０を固定するネジ９３が貫通する孔である。
図６に示すように、ネジ９３は、防水用のパッキン９４を用いてネジ孔１６から挿入されてネジ止めされる。
【００２１】
図６及び図１３に示すように、取付部１３は、リング部１７とスカート部１８を有する。
リング部１７は、光源ユニット１１０の軸Ｏと直交する環状面でありドーナツ形状をしている。
スカート部１８は、リング部１７の外周から軸Ｏの方向すなわち被取付部側の方向に向けて伸びた環状面である。開口部１０１は、スカート部１８の先端部に形成された円形開口である。
【００２２】
＜＜光源部２０＞＞
図１１は、光源部２０を説明する図である。
光源部２０は、出射部材２１と環状パッキン２２と加圧スペーサ２３とソケット２４と光源２６と光源取付部２７とを有する。
【００２３】
＜出射部材２１＞
出射部材２１は、光源２６から出射される光の配光を制御する不燃材の出射部材である。
出射部材２１は、カバー状の透光性の配光制御部材の具体例である。
出射部材２１の好適な具体例は、ガラス製レンズである。
出射部材２１は、ソケット２４の発光面側に配置される。
出射部材２１は、半球状又はドーム状をしており、出射部材２１の中央部はソケット２４の表面から突出しているとともに、カバー部１０の出射口１４から露出している。
出射部材２１は、出射部材２１の外周部につば部２１２が設けられている。
【００２４】
出射部材２１は、周囲にリング状の環状パッキン２２が取り付けられ、出射部材２１の周囲は、環状パッキン２２で保護されている。
出射部材２１は、カバー部１０の前カバー１１とソケット２４とで挟まれることにより固定される。
【００２５】
＜環状パッキン２２＞
環状パッキン２２は、樹脂製のリングであり、具体的にはシリコン製である。
環状パッキン２２の内周面には環状の溝が形成され、環状パッキン２２の断面は凹形状をしている。
出射部材２１のつば部２１２にはリング状の環状パッキン２２が取り付けられ、他の部材と接触する場合、衝撃により出射部材２１が破損することを防止することができる。
環状パッキン２２は、カバー部１０と光源取付部２７との固定により出射口１４に押圧されている。
環状パッキン２２は、カバー部１０と加圧スペーサ２３とに挟まれて出射口１４に押圧されている。
環状パッキン２２の外径は、出射口１４の押え部１４２の外径と同じであるか、押え部１４２の外径よりやや小さい。
環状パッキン２２の内径は、出射口１４の押え部１４２の内径と同じであるか、押え部１４２の内径よりやや大きい。
環状パッキン２２の軸Ｏ方向の高さは、収納部１４１の突出高さと同じであるか、収納部１４１の突出高さよりやや大きい。
【００２６】
＜加圧スペーサ２３＞
加圧スペーサ２３は、光源取付部２７と環状パッキン２２との間に配置されている。
加圧スペーサ２３は、金属製又は硬質ゴム製又はセラミックス製のリングである。
加圧スペーサ２３は、環状パッキン２２よりも固い素材で製造されている。
図１１に示すように、加圧スペーサ２３の内径は、環状パッキン２２の内径よりも小さい。また、加圧スペーサ２３の外径は、環状パッキン２２の外径よりも大きい。
図１１に示すように、加圧スペーサ２３の外径は、光源取付部２７のソケット収納部２７１の内径より大きい。
加圧スペーサ２３は、環状パッキン２２の全周を出射口１４に押し付ける部材であるとともに、出射部材２１とソケット２４との間の圧力を弱め、出射部材２１とソケット２４の損傷を防止する部材である。
【００２７】
＜ソケット２４＞
ソケット２４は、表面中央に窪みを有し、裏面に平面を有する円盤形状をしている。
ソケット２４は、セラミックス又は樹脂材料で製造されており、金属に比べて破損する可能性が高い。
光源２６から発生する熱はソケット２４を介して光源取付部２７に伝導するため、ソケット２４の材料は、熱伝導率の高い材料が好ましい。
ソケット２４は、光源２６と電気的に接続するための電極を有し、ソケット２４に内蔵する接続端子により、光源２６に給電する。
電線２４２は、ソケット２４の外周側面に沿って引き回され、コネクタ２４３に接続されている。
ソケット２４は、ネジ９１２により、光源取付部２７に固定される。
図１１に示すように、ソケット２４の外径は、加圧スペーサ２３の内径と同じであるか、又は、加圧スペーサ２３の内径よりも小さい。
【００２８】
＜光源２６＞
光源２６は、発光素子を有しており、ＣＯＢ（Ｃｈｉｐ・Ｏｎ・Ｂｏａｒｄ）形式のＬＥＤが好適である。
光源２６は、ソケット２４の表面中央の窪みに装着される。
光源２６は、ソケット２４と出射部材２１との間に配置されている。
光源２６は、ソケット２４に内蔵する接続端子により、給電される。
図１１に示すように、ソケット２４の給電端子に接続された電線２４２の先端にはコネクタ２４３が取り付けられている。コネクタ２４３は、光源取付部２７のコネクタ固定孔２７２に固定されることで、ソケット２４の給電端子に張力がかかることを防止する。
【００２９】
＜光源取付部２７＞
光源取付部２７は、カバー部１０にネジ９３で固定されている。
光源取付部２７は、金属製であり、ヒートシンクの機能を有する。
光源取付部２７は、中央にソケット収納部２７１を有する。
ソケット収納部２７１は、ソケット２４を配置する凹部である。
光源取付部２７は、ソケット収納部２７１の外側に、コネクタ固定孔２７２を有する。
コネクタ固定孔２７２は、コネクタ２４３を固定する貫通孔である。
ソケット収納部２７１からコネクタ固定孔２７２にかけて電線２４２を配置する配線部２７９が連続している。
光源取付部２７は、ネジ孔９７を有する。
光源取付部２７は、ネジ孔９７に挿入されたネジ９３により、カバー部１０の前カバー１１に固定される。
光源取付部２７は、９０度で切り欠いた切欠部２７６を有する。
切欠部２７６は、スイッチ３３を配置する空間を提供している。
【００３０】
＜加圧部２７３＞
光源取付部２７は、ソケット収納部２７１の外周に、加圧部２７３を有する。
加圧部２７３は、光源取付部２７の表面から階段状にへこんだ窪み部である。
加圧部２７３は、加圧スペーサ２３を嵌め込むＬ字形の窪みであり、加圧部２７３は、加圧スペーサ２３を位置決めする段差部である。
図１０及び図１１に示すように、加圧部２７３は、Ｃ字形状をしている。
図１０及び図１１に示すように、加圧部２７３は、加圧面２７４と位置決め面２７５とを有する。
加圧面２７４は、軸Ｏと直交するＣ字形状のリング面であり、加圧スペーサ２３の裏面を加圧面である。
位置決め面２７５は、軸Ｏと平行なＣ字形状のリング壁であり、加圧スペーサ２３の外周面が嵌め込まれる面である。
加圧部２７３の軸Ｏ方向の深さは、加圧スペーサ２３の厚さより小さい。
図１１に示すように、光源取付部２７のソケット収納部２７１の内径は、加圧スペーサ２３の外径より小さいが、加圧部２７３の内径は、加圧スペーサ２３の外径と同じである。
電線２４２が通過する配線部２７９を除き、ソケット収納部２７１の加圧部２７３の加圧面２７４が加圧スペーサ２３に当接するので、加圧スペーサ２３がソケット収納部２７１に落ち込むことはない。
【００３１】
＜＜点灯装置３０＞＞
点灯装置３０は、基板ケース３１とバッテリ３２とスイッチ３３を有する。
基板ケース３１は、外郭が樹脂製で構成されており、内部に回路基板を収納している。
バッテリ３２は、停電時に電力を供給する電池を有する。
バッテリ３２は、基板ケース３１に対して軸Ｏ方向に着脱可能に取り付けられている。
スイッチ３３は、光源２６に電力を供給するためのスイッチである。
スイッチ３３は、スイッチカバー１９を介して操作されるスイッチである。
スイッチカバー１９を軸Ｏ方向に押して、スイッチ３３を軸Ｏ方向に押すことにより、光源２６がオン又はオフする。
【００３２】
点灯装置３０は、被取付部側に、電源端子台４０を収納する収納空間Ｋを有する。
収納空間Ｋは、点灯装置３０の固定台５０に接する面から窪んだ凹部である。
【００３３】
＜＜電源端子台４０＞＞
電源端子台４０は、カバー部１０の内部に配置され、光源２６に電力を供給する。
電源端子台４０は、固定台５０に固定され、カバー部１０の奥中央に存在する。
電源端子台４０は、一面が端子孔５６から露出して取り付けられる。
電源端子台４０は、端子孔５６から露出した部分において、外部電源からの電線を接続する。
電源端子台４０は、端子本体４１と端子取付板４２を有する。
端子取付板４２は、端子本体４１を固定台５０にネジ９０で固定するカバーである。
【００３４】
＜＜固定台５０＞＞
固定台５０は、点灯装置３０と電源端子台４０とを固定する台座である。
固定台５０は、小判型の板金が折り曲げられて製造された金属製の屈曲板である。
固定台５０は、板部５１と側部５２と固定部５３を有する。
板部５１は、矩形の板であり、中央に、端子孔５６が形成されている。
側部５２は、板部５１と直交する１対の平板であり、板部５１の短辺から９０度の角度で屈曲している板である。一方の側部５２は矩形の板であり、他方の側部５２は台形の板である。
固定部５３は、側部５２と直交する平板であり、天板６０の平板部６５に固定される固定板である。
一方の固定部５３は、矩形の側部５２の底辺をつながった凸形の板である。
他方の固定部５３は、台形の側部５２の上辺とつながった矩形の板であり、ネジ孔を有する。
【００３５】
＜＜天板６０＞＞
天板６０は、被取付部９９０に固定される。
天板６０は、平板部６５と環凸部６６を有する。
平板部６５は、金属製の円形板である。
平板部６５は、中央に、電線が通る円形の開口Ｋ１が形成されている。
開口Ｋ１は、照明器具１００の外部から内部に電線を引き込むための開口である。
開口Ｋ１は、照明器具１００が被取付部９９０の配線孔９９１と対向した位置に配置される。
平板部６５は、軸Ｏを中心にして４箇所に４個の挿入孔６４がある。
挿入孔６４は、防水材７０を取り付ける貫通孔である。
平板部６５は、１対の舌片６８を有する。
２個の舌片６８の間隔は、凸型の固定部５３の凸部分の幅と同じである。
１対の舌片６８の反対方向には、ネジ孔を有する固定ブリッジ６９がある。
固定ブリッジ６９は、固定部５３を固定する台座である。
【００３６】
図１３に示すように、環凸部６６は、平板部６５の周囲に形成された環状の屈曲部である。
環凸部６６は、半径方向の断面の外側形状が凸形の環状部である。
環凸部６６は、半径方向の断面の内側形状が凹形の溝部を有する。
環凸部６６は、内側部６１と平部６２と外側部６３とにより形成されている。
平部６２は、軸Ｏに対して直交する面を有するドーナツ板であり、３箇所にネジ孔６７が形成されている。
内側部６１は、軸Ｏに対して平行な面を有するリング板であり、平部６２の内周部と平板部６５とをつないでいる帯板である。
外側部６３は、軸Ｏに対して平行な面を有するリング板であり、平部６２の外周部とつながっている帯板である。
【００３７】
＜＜防水材７０＞＞
図７と図８に示すように、防水材７０は、被取付部９９０と天板６０との間に配置される。
防水材７０は、一面が開口部１０１に密着するとともに、他面が被取付部９９０の被取付面９９２に密着する。
防水材７０は、シリコン製あるいは樹脂製であり、概略円盤形状をしている。
防水材７０は、防水盤７１と環状壁７２と防水環部７４とを有する。
【００３８】
＜防水盤７１＞
防水盤７１は、平板の円形板である。
防水盤７１は、軸Ｏを中心にして４箇所に４個の突起７８がある。
突起７８は、防水材７０の表面に形成されており、キノコ形状又はマッシュルーム形状をしている。
突起７８の位置は、天板６０の挿入孔６４の位置と同じ位置にあり、突起７８を挿入孔６４に挿入することにより、防水材７０を天板６０に取り付けるものである。
防水盤７１の表面の中央には、位置決め凸部８２がある。
位置決め凸部８２は、天板６０の開口Ｋ１に挿入される凸部である。
防水盤７１の裏面の中央には、１対の弧状壁８５がある。
弧状壁８５は、被取付部９９０の配線孔９９１に挿入される１対の壁である。
【００３９】
＜環状壁７２＞
環状壁７２は、防水盤７１の縁において、防水盤７１の表面から立設された環状の壁である。
環状壁７２は、先端がリング部１７の裏面と密着している。
環状壁７２は、先端に密着端７３を有し、先端になるほど厚さが薄くなっており、先端になるほど弾性あるいは柔軟性を有する。
環状壁７２の内径は、天板６０の外径と同じであるか、又は、天板６０の外径よりやや小さい。
環状壁７２の内周面は、天板６０の外周面と密着している。
【００４０】
＜防水環部７４＞
図７と図８に示すように、防水材７０は、一つ以上の防水環部７４を有する。
防水環部７４は、天井その他の被取付部９９０の被取付面９９２に密着する。
防水環部７４は、防水盤７１の裏面からくさび状に突出した環状突出部である。
防水環部７４は、被取付部９９０に隙間なく接触することができるように、先端がとがっている。
防水環部７４は、４本あり、内側から、第１防水環部７４１と、第２防水環部７４２と、第３防水環部７４３と、第４防水環部７４４とが配置されている。第１、第２防水環部は内側にあり、第３、第４防水環部は外側にある。
第３防水環部７４３の直径は、天板６０の外側部６３の直径と同じである。
第４防水環部７４４の直径は、カバー部１０のスカート部１８の開口部１０１の直径と同じである。
【００４１】
＜受け面７５＞
防水材７０は、表面において開口部１０１と密着する受け面７５を有する。
防水盤７１の環状壁７２の外側は、リング状の受け面７５である。
受け面７５は、環状壁７２の根元から半径方向の外側に突出した環状の鍔の表面である。
受け面７５は、スカート部１８の先端が密着する密着環部７９を有する。
防水材７０は、裏面において受け面７５の密着環部７９と対応した位置に第４防水環部７４４を有し、第４防水環部７４４が被取付部９９０の被取付面９９２に密着する。
【００４２】
＜位置決め凸部８２＞
防水材７０は、円筒形状の位置決め凸部８２を有する。
位置決め凸部８２は、防水材７０の表面に突出して形成されており、凹部８３の中央に形成されている。
位置決め凸部８２が形成された部分は位置決め凸部８２が形成されていない部分に比べて厚さが厚い厚肉部である。
位置決め凸部８２の外周形状は、天板６０の開口Ｋ１の内周形状と同じ円形であり、位置決め凸部８２を天板６０の開口Ｋ１に嵌め込むことで、天板６０に対する防水材７０の位置決めができる。
位置決め凸部８２は、開口Ｋ１に嵌め込まれて開口Ｋ１を密封するものであり、開口Ｋ１からの水の浸入を防ぐものである。
【００４３】
＜電線通過部７６＞
図４及び図７に示すように、位置決め凸部８２は、中央に、配線孔９９１からの電線を突き通す電線通過部７６を有する。
電線通過部７６は、楕円又は小判形状の形状をしている。
電線通過部７６は、２個あり、それぞれ１本の電線を通過させる。
電線通過部７６は、被取付部９９０からの電線を突き通す薄肉部である。
電線通過部７６は、位置決め凸部８２が形成された部分の厚さよりも厚さが薄い部分である。
電線通過部７６は、電線の突き刺しにより貫通孔が形成できる程度の厚さを有している。
電線通過部７６は、薄いので、人手により電線通過部７６に電線を突き刺すことにより、電線で電線通過部７６を突き破ることができる。
電線通過部７６に電線を通しても、電線通過部７６の部材が電線の周囲に密着しており、電線の周囲に隙間ができないようになっている。
【００４４】
＜ネジ通過部７７＞
図４、図６及び図７に示すように、防水盤７１は、直径方向に、複数のネジ通過部７７を有する。
ネジ通過部７７は、図示していない木ネジが被取付部９９０に向かってねじ込まれる薄肉部である。
ネジ通過部７７は、木ネジの回転により貫通孔が形成できる程度の厚さを有している。
図７に示すように、ネジ通過部７７は、防水材７０の裏面側に周囲に形成された凸壁７７１を有する。
凸壁７７１は、先端が被取付面９９２に接触することにより、木ネジの締め付けによるネジ頭部分の天板６０のたわみを防止する。
ネジ通過部７７は、木ネジの締め付けによる天板６０の中央部分のたわみを防止するため、第１防水環部７４１と第２防水環部７４２の近傍に配置されている。
ネジ通過部７７は、被取付面９９２を伝わってくる水が木ネジの貫通孔に浸入することを防止するため、第１防水環部７４１の内側に配置されている。
木ネジの締め付けによる天板６０の中央部分のたわみをさらに防止するため、ネジ通過部７７の内側に追加の防水環部７４を設けてもよい。
また、木ネジの代わりにその他の締結部材を用いてもよい。
【００４５】
＜＜通気路８０＞＞
図４と図１４と図１５により、通気路８０について説明する。
防水材７０は、通気口８１と部材開口８４と凹部８３を介して、照明器具１００の内部空間と配線孔９９１とを通気する通気路８０を有する。
通気路８０は、通気口８１と部材開口８４と凹部８３により構成されている。
通気口８１と部材開口８４と凹部８３は連通しており、照明器具１００の内部空間と天井裏の空間との間で通気が可能である。
【００４６】
＜通気口８１＞
天板６０は、被取付部９９０に固定され、開口Ｋ１と、開口Ｋ１の脇に形成された通気口８１とを有する。
通気口８１は、天板６０に形成された開口である。
通気口８１は、通気口屋根８１ａが開口の一部を塞ぐように形成されており、通気口８１の開口面は、天板６０に対して略垂直に形成されている。
天板６０は、開口Ｋ１の両サイドに通気口８１を有し、通気口８１は、直径方向に２個形成されている。
通気口８１は、配線孔９９１の半径よりも外側の位置に形成されている。
通気口８１は、背面視で、配線孔９９１と重なることはない。
通気口８１は、天板６０の平板部６５の一部が防水材７０の厚さ以下の高さで斜めに隆起して形成されている。
通気口８１は、半径方向外側に向かって開口されている。
通気口８１は、平板部６５と平行なスリットである。
スリットの隙間は、気体が通過できる程度のわずかなものでよい。
通気口８１の形状は、スリット以外でもよく、微小穴その他の構造でもよい。
ただし、通気口８１からの塵芥の侵入を防止するため、通気口８１の開口面は、軸Ｏ方向と直交する面ではなく、軸Ｏ方向と平行な開口であることが望ましい。
【００４７】
＜部材開口８４＞
防水材７０は、通気口８１を配置した部材開口８４を有する。
部材開口８４は、通気口８１の対応する部分に形成されている半円形又は爪形状の開口である。
部材開口８４は、通気口８１を防水材７０の裏面に露出させる開口である。
部材開口８４は、配線孔９９１の半径よりも外側の位置に形成されている。
部材開口８４は、平面視で、配線孔９９１と重なることはない。
【００４８】
＜凹部８３＞
防水材７０は、トラック形状又は小判形状の凹部８３を有する。
凹部８３は、防水材７０の裏面に形成されている。
凹部８３が形成された部分は凹部８３が形成されていない部分に比べて厚さが薄い薄肉部である。
凹部８３の両端には、部材開口８４が形成されている。部材開口８４は、凹部８３の両端にある開口である。
凹部８３は、部材開口８４から配線孔９９１のある位置まで形成されており、防水材７０の中央から部材開口８４まで形成されている。
凹部８３は、被取付面９９２を伝わってくる水が凹部８３に浸入すること防止するため、第１防水環部７４１の内側に配置されている。
【００４９】
＜弧状壁８５＞
防水材７０は、通気路８０の凹部８３を間にして立設された１対の弧状壁８５を有する。
弧状壁８５は、中空の円筒を軸Ｏの方向に凹部８３の幅だけ切り取った残りの部分であり、被取付部９９０の配線孔９９１に対して、挿入される。
凹部８３の中心は、弧状壁８５の根本に形成されている。
【００５０】
＜通気路８０の特徴＞
通気路８０は、通気口８１と部材開口８４と凹部８３とにより構成される。
通気路８０は、通気口８１と部材開口８４と配線孔９９１とを通気する。
通気路８０は、直径方向に形成された２個の通気口８１を連結している。
通気路８０は、被取付部９９０の配線孔９９１に通じており、照明器具１００の内部空間と被取付部９９０の裏空間とを結ぶ通路である。
【００５１】
通気路８０は、以下のように通気路から塵芥が侵入しないような構造になっている。
（１）配線孔９９１の真下には、天板６０の位置決め凸部８２が存在しており、配線孔９９１と照明器具１００の内部空間とが上下に直接連通していないので、配線孔９９１から落下してくる塵芥が照明器具１００の内部空間に直接落下することがない。
（２）位置決め凸部８２の裏面に塵芥が集積しても、凹部８３の深さより大きな塵芥は凹部８３を通りぬけることができない。
（３）凹部８３を塵芥が通過して部材開口８４に到達したとしても、部材開口８４で塵芥は凹部８３から天板６０の裏面に落下して、部材開口８４の内部に集積する。
（４）部材開口８４の内部に塵芥が集積したとしても、通気口８１を形成している斜めの隆起は、半径方向外側に向かって上り坂を呈しているので、部材開口８４の内部に集積した塵芥が半径方向外側に移動しにくい。
（５）塵芥が半径方向外側に移動したとしても、通気口８１は、部材開口８４の内部で半径方向外側に開口しているので、半径方向に移動する塵芥は、通気口８１に侵入できない。
（６）塵芥が通気口８１に侵入しようとしても、通気口８１は、スリット状に形成されているので、通気口８１の上下方向の高さより大きな塵芥は通気口８１を通りぬけることができない。
【００５２】
＜＜光源ユニット１１０の組み立て方法＞＞
図６、図９、図１０、及び、図１１により、光源ユニット１１０の組み立て方法について説明する。
光源２６が装着されたソケット２４を光源取付部２７にネジ９１２で固定する。
次に、コネクタ２４３をコネクタ固定孔２７２に嵌め込む。
次に、加圧スペーサ２３の内周にソケット２４を配置して、加圧スペーサ２３の外周を位置決め面２７５の内周に嵌め込み、加圧スペーサ２３の裏面を加圧面２７４に載せ、加圧スペーサ２３を光源取付部２７の加圧部２７３に嵌め込む。
出射部材２１のつば部２１２に環状パッキン２２を取り付ける。
また、スイッチカバー１９を変形させて、カバー部１０の前カバー１１のスイッチ孔１５にスイッチカバー１９を挿入しておく。
【００５３】
次に、環状パッキン２２が装着された出射部材２１を加圧スペーサ２３に載せる。
次に、出射部材２１をカバー部１０の出射口１４から露出させ、カバー部１０の前カバー１１にあるネジ孔１６を介して、前カバー１１の裏面と光源取付部２７の表面とが接触するまで、カバー部１０と光源取付部２７とをネジ９３でネジ止めする。
ネジ９３は、防水のため、パッキン９４を用いてネジ止めされる。
カバー部１０と光源取付部２７とをネジ止めにより、加圧スペーサ２３と環状パッキン２２とはカバー部１０と光源取付部２７とに挟まれて固定される。
環状パッキン２２よりも加圧スペーサ２３が固く、環状パッキン２２の高さは収納部１４１の高さと同じであり、加圧スペーサ２３は光源取付部２７の表面より軸Ｏ方向に突出している。
このため、カバー部１０と光源取付部２７とをネジ止めにより、加圧スペーサ２３が環状パッキン２２を前カバー１１の裏面に押し付けることになる。環状パッキン２２は加圧により変形し、環状パッキン２２と押え部１４２の裏面とが密着する。よって、出射口１４からの水の浸入がない。
カバー部１０と光源取付部２７とのネジ止めによる圧力は、前カバー１１と環状パッキン２２と加圧スペーサ２３と光源取付部２７とで受け止められ、出射部材２１と光源取付部２７の間にあるソケット２４には、ネジ止めによる圧力はほとんどかからない。よって、ソケット２４は、加圧により損傷しない。
【００５４】
＜加圧スペーサ２３の機能＞
光源ユニット１１０において、加圧スペーサ２３は、以下の役割を有する。
（１）防水機能
加圧スペーサ２３は、環状パッキン２２を前カバー１１に押し付けて、防水効果を高める。光源取付部２７は、コネクタ固定孔２７２に通じた配線部２７９があるため、環状パッキン２２を３６０度か加圧することができないが、加圧スペーサ２３により、環状パッキン２２を３６０度加圧することができる。
（２）破損防止
加圧スペーサ２３は、ソケット２４への過重加圧を防止し、ソケット２４の破損を防止する。
加圧スペーサ２３がなければ、ネジ９３によるネジ孔９７へのネジ止めの圧力がソケット２４に直接かかる。しかし、加圧スペーサ２３があるため、ネジ９３によるネジ孔９７へのネジ止めの圧力がソケット２４に直接かかることがなく、ソケット２４の破損が防止できる。
（３）位置ずれ防止
加圧スペーサ２３は、ソケット２４の外周にあるので、ソケット２４の位置ずれを防止する。
ソケット２４の外周壁とソケット収納部２７１の内周壁の間には、電線２４２を通す隙間がある。
加圧スペーサ２３は、ソケット２４の外周３６０度を囲んでいるので、ソケット２４を光源取付部２７に固定しているネジ９１２が緩んでも、ソケット２４の半径方向への位置ずれを防止することができる。
（４）放熱機能
加圧スペーサ２３は、光源取付部２７に密着する金属リングであり、ヒートシンクとして機能する。加圧スペーサ２３があることにより、ヒートシンクの体積及び表面積が増加する。
【００５５】
＜＜点灯ユニット１２０の組み立て方法＞＞
図６により、固定台５０の組み立て方法について説明する。
まず、端子本体４１を端子取付板４２で覆い、端子取付板４２を固定台５０にネジ９０でネジ止めすることにより、電源端子台４０を固定台５０に取り付ける。
次に、収納空間Ｋに電源端子台４０を収納した状態で、基板ケース３１を固定台５０にネジで固定する。
【００５６】
＜＜蓋ユニット１３０の組み立て方法＞＞
図６により、蓋ユニット１３０の組み立て方法について説明する。
防水材７０の位置決め凸部８２を天板６０の開口Ｋ１に嵌めて中央部分で位置決めしながら、防水材７０の突起７８を天板６０の挿入孔６４に嵌め込み、かつ、環状壁７２を天板６０の外周に嵌め込みながら、防水材７０を天板６０に取り付ける。
【００５７】
＜＜蓋ユニット照明器具１００の取付方法＞＞
図６と図１３により、照明器具１００の被取付部９９０への取付方法について説明する。
前提として、被取付部９９０に電線が引き出し可能な配線孔９９１があるものとする。
【００５８】
＜蓋ユニット１３０の被取付部９９０への取付＞
まず、被取付部９９０の配線孔９９１から電線を引き出し、電線通過部７６に突き通す。
次に、配線孔９９１に蓋ユニット１３０の防水材７０の弧状壁８５を挿入する。
次に、木ネジをネジ孔９８から被取付部９９０に向けて挿入し、木ネジの先端で、ネジ通過部７７を突き破り、木ネジを被取付部９９０にねじ込む。
木ネジの締め付けにより、防水環部７４が被取付部９９０に押し付けられ、防水環部７４が被取付部９９０に密着する。
木ネジの外側近傍に、第１防水環部７４１、第２防水環部７４２があるので、木ネジの締め付けにより、第１防水環部７４１、第２防水環部７４２が被取付部９９０に密着する。
また、第３防水環部７４３が、天板６０の外側部６３に対応して形成されているので、木ネジの締め付けにより、第３防水環部７４３が被取付部９９０に密着する。
木ネジの締め付けにより、防水材７０の裏面全面が被取付部９９０に密着したとしても、凹部８３があるので、通気路８０が塞がれてしまうことはない。
【００５９】
＜点灯ユニット１２０の取付＞
蓋ユニット１３０の被取付部９９０への取付後、点灯ユニット１２０を蓋ユニット１３０に取り付ける。
まず、電線を電源端子台４０の端子に接続する。
次に、固定台５０を天板６０の内側部６１の内側面に斜めに入れ、凸形の固定部５３の先端部を１対の舌片６８の間に挿入し、凸形の固定部５３の根本部分を１対の舌片６８の下に嵌め込む。そして、他方の固定部５３を固定ブリッジ６９に載せる。凸形の固定部５３と１対の舌片６８とは、点灯ユニット１２０を蓋ユニット１３０に対して位置決めする部分である。
次に、ネジ９６を固定部５３のネジ孔に通し、ネジ９６を固定ブリッジ６９のネジ孔にねじ込み、固定台５０を天板６０に固定する。この時点で、１対の舌片６８とネジ９６により固定台５０が天板６０に固定される。
【００６０】
次に、点灯装置３０から引き出されたコネクタ（図示せず）を、コネクタ２４３に差し込む。
さらに、スイッチカバー１９の位置がスイッチ３３の位置になるように光源ユニット１１０を点灯ユニット１２０に対して位置合わせして、図１３に示すように、カバー部１０を天板６０の環凸部６６にあるネジ孔６７にネジ９１でネジ止めする。ネジ９１は、防水のため、パッキン９２を用いてネジ止めされる。
図１３に示すように、カバー部１０をネジ９１でネジ止めすると、スカート部１８の先端が防水材７０の受け面７５の密着環部７９を加圧することになり、スカート部１８の先端の開口部１０１と密着環部７９とが密着する。同時に、環状壁７２の密着端７３がリング部１７の裏面に密着する。
したがって、スカート部１８と防水材７０の密着と、スイッチ孔１５と密着端７３との密着とにより水の浸入を防止する。
また、第４防水環部７４４が、スカート部１８の先端の開口部１０１に対応して形成されているので、ネジ９１の締め付けにより、第４防水環部７４４が被取付部９９０に密着する。
以上で、照明器具１００の取付が終了する。
【００６１】
＜＜照明器具１００の特徴的構成＞＞
この実施の形態の特徴は以下のとおりである。
照明器具１００は、カバー部１０内部に配設され、非常時の電源となる非常用電源部として基板ケース３１を備えた非常用照明器具である。
照明器具１００は、出射部材２１と光源２６を有する光源部２０と、光源部２０を点灯制御する点灯装置３０とを備え、光源部２０と点灯装置３０は有底状のカバー部１０に収納され、カバー部１０の一面が蓋となる天板６０で覆われている。
光源部２０は、カバー部１０の前部に配置されており、カバー部１０の前カバー１１の出射口１４より必要な照度を発する。
照明器具１００の外郭において露出しているガラスは、出射部材２１のみである。
光源部２０の出射部材２１と出射口１４の嵌合部分は、水の浸入を防ぐ構造となっている。
カバー部１０と光源部２０と天板６０が不燃材で形成されている。
光源ユニット１１０は、出射口１４と出射部材２１とに密着した環状パッキン２２を有する。
光源ユニット１１０は、出射口１４が形成されたカバー部１０と、カバー部１０に固定された光源取付部２７とを有する。
光源ユニット１１０は、環状パッキン２２と光源取付部２７との間に加圧スペーサ２３を有する。
【００６２】
＜＜照明器具１００の外郭＞＞
照明器具１００の外郭は、カバー部１０と出射部材２１と天板６０の３部材のみで構成されている。
照明器具１００を防水構造にするには、以下の接触部分のみを防水構造にすればよい。（Ａ）カバー部１０と出射部材２１との接触部分
（Ｂ）天板６０と被取付部９９０との接触部分
（Ｃ）カバー部１０と天板６０との接触部分
【００６３】
＜＜照明器具１００の防水方法＞＞
照明器具１００の防水構造は以下のような工程により組みたてられる。
（１）光源ユニット１１０の防水工程
カバー部１０の出射口１４を出射部材２１と環状パッキン２２とで塞ぐ。
さらに、カバー部１０と光源取付部２７をネジ止めして環状パッキン２２を加圧スペーサ２３で出射口１４に密着させる。
また、スイッチ孔１５をスイッチカバー１９で覆う。
（２）蓋ユニット１３０と被取付部９９０との防水工程
蓋ユニット１３０の天板６０を被取付部９９０に固定する際に、天板６０と被取付部９９０との間に防水材７０を挟んで防水材７０の裏面を被取付部９９０の被取付面９９２に密着させる。
（３）光源ユニット１１０と蓋ユニット１３０との防水工程
光源ユニット１１０のカバー部１０を蓋ユニット１３０の天板６０に固定する際に、カバー部１０のスカート部１８を防水材７０の表面に密着させる。さらに、防水材７０の環状壁７２をリング部１７の裏面に密着させる。
【００６４】
＊＊＊照明器具１００の効果の説明＊＊＊
本実施の形態によれば、防水性能を有しながら、外郭部を構成するガラスの面積を小さくすることができる。
ガラスグローブを使用する照明装置は、従来の照明装置をそのままに覆う形で、その外側に防水用の筐体としてガラスグローブと本体を配置する形となっており、器具の外形サイズが大きくなり、重量が増えてしまう。しかし、本実施の形態によれば、ガラスグローブを使用していないので、器具重量の軽減、及び、コストの抑制を図ることができる。
また、ガラスグローブを使用する照明装置のように最外郭の大部分をガラス部材で覆うことになれば、ガラスの破損による危険性も高くなるが、本実施の形態によれば、ガラスグローブを使用していないので、ガラスの破損の危険性を低減することができる。
また、ガラスグローブを使用する照明装置の光源部はガラスグローブを通して器具外部へ光を照射しており、ガラスグローブのばらつきによって、その照度は変化してしまう。しかし、本実施の形態によれば、出射部材２１がガラスグローブに覆われておらず、出射部材２１を照明器具１００の最外郭へ配置する構造とすることで、必要とされる照度をより有効に取り出すことが可能となる。
また、ガラスグローブを使用する照明装置は、ガラス部材で覆われるので筐体内部で点灯する光源又は制御装置の発する熱を外部へ排出しにくい構造となってしまっている。しかし、本実施の形態によれば、ガラスグローブを使用する場合に比べて、器具内部に収納される点灯装置３０と電源端子台４０が発する熱を器具外部へ排出しやすい。
さらには、点検その他の点灯確認作業を行う必要のある非常用照明装置の場合には、ガラスグローブを外さなければ作業ができないという作業性の悪化が予想される。しかし、本実施の形態によれば、点灯確認作業を行うスイッチ３３がガラスグローブに覆われておらず、スイッチカバー１９を介してスイッチ３３を照明器具１００の最外郭へ配置する構造とすることで、点検その他の点灯確認作業が容易になる。
また、環状パッキン２２が出射口１４から露出することがないので、光の出射を妨害することがなく、さらに、外観が美しい。
また、通気路８０を有しているので、照明器具１００が防水用に密封されていても、外気と通ずることができる。特に、バッテリ３２から水素ガスが発生する場合でも、通気路８０により水素ガスを外部に放出することができる。
また、防水材のみで通気用の通気路を設けようとすると、その通気路の開口は防水性能も有する必要があるため、水が浸入しないような小さな貫通孔にしなくてはいけない。そのため、防水材には小さな貫通孔が必要となり、防水材が成形しにくい。本実施の形態では、防水材７０と天板６０を組み合わせて通気路８０を形成していることで、防水材に小さな貫通孔を成形する必要がなく防水材７０の成形を容易にすることができる。すなわち、金属製の天板６０に微小な開口となる通気口８１を成形し、シリコン製の防水材７０に比較的大きな成形形状となる部材開口８４と凹部８３とを成形することで、通気路８０を形成しているので、防水材に小さな貫通孔を成形する必要がなく防水材７０の成形を容易にすることができる。
また、通気口８１は、通気口屋根８１ａを有していることによって、上部方向からの埃や水の侵入を抑制することができる。
また、照明器具１００は、通気口８１及び部材開口８４を天井面（被取付面９９２）と対向するように取り付けるとよい。通気口８１及び部材開口８４を天井面（被取付面９９２）と対向するように取り付けることで、通気路８０への水の浸入を更に防ぐことができる。すなわち、通気口８１及び部材開口８４の上部に天井面（被取付面９９２）が対向して存在していれば、上部方向からの通気口８１及び部材開口８４の埃や水の直接侵入を抑制することができる。
配線孔９９１の直径が大きすぎて、通気口８１及び部材開口８４の上部に天井面（被取付面９９２）が対向して存在していない場合でも、通気口８１が通気口屋根８１ａを有しているので、通気口屋根８１ａにより、上部方向からの通気口８１及び部材開口８４の埃や水の侵入を抑制することができる。
また、通気口８１が通気口屋根８１ａを有していることで、蓋ユニット１３０を木ネジ（締結部材）により被取付部９９０を取り付けるときに、木ネジ（締結部材）を締め込みすぎて防水材７０が想定しているよりも圧縮されたとしても、被取付部９９０と通気口屋根８１ａが当接して通気口８１及び通気路８０が塞がれるのを防止することができる。
【００６５】
実施の形態２．
実施の形態２では、実施の形態１と異なる光源ユニット１１０と蓋ユニット１３０との固定構造について説明する。
【００６６】
＊＊＊実施の形態２−１の構成の説明＊＊＊
図１６と図１７により、実施の形態１とは、固定台５０と天板６０との構成が異なる場合について説明する。
図１６は、実施の形態２−１における点灯ユニット１２０と蓋ユニット１３０の斜視図である。
図１７は、実施の形態２−１における照明器具１００の正面透視図である。
【００６７】
＜＜固定台５０＞＞
固定台５０は、板部５１と側部５２と固定部５３を有する。
側部５２は、板部５１と直交する１対の平板であり、板部５１の短辺から９０度の角度で屈曲している板である。
固定部５３は、側部５２と直交する平板であり、外周が円弧状の板である。
固定部５３は、天板６０に固定される固定板である。
固定部５３には、挿入孔５４とスリット５５とが形成されている。
スリット５５は、挿入孔５４の外周半径と同一の外周半径を有する細い弧状スリットである。
【００６８】
＜＜天板６０＞＞
平板部６５は、直径方向に１対の舌片６８を有する。
１対の舌片６８の片方の舌片６８に内側には、ネジ孔を有する固定ブリッジ６９がある。
【００６９】
＜点灯ユニット１２０の取付＞
蓋ユニット１３０の被取付部９９０への取付後、点灯ユニット１２０を蓋ユニット１３０に取り付ける。
固定台５０の固定部５３を天板６０の内側部６１の内側面に入れながら、２個の挿入孔５４に２個の舌片６８を挿入する。そして、点灯ユニット１２０を回転させ、スリット５５に舌片６８をスライドさせる。この時点で、手を放しても点灯ユニット１２０が落下することはない。
次に、ネジ９６を固定台５０のネジ孔に通し、ネジ９６を固定ブリッジ６９のネジ孔にねじ込み、固定台５０を天板６０に固定する。この時点で、固定台５０は回転することができず、固定台５０が天板６０に固定される。
【００７０】
＊＊＊実施の形態２−１の効果の説明＊＊＊
本実施の形態によれば、点灯ユニット１２０から手を放しても点灯ユニット１２０が落下することはないので、点灯ユニット１２０のネジ止め作業が容易になる。
【００７１】
＊＊＊実施の形態２−２の構成の説明＊＊＊
図１８により、点灯ユニット１２０をネジ止めする代わりに、点灯ユニット１２０をバネ止めを用いる場合について説明する。
図１８は、実施の形態２−２における点灯ユニット１２０と蓋ユニット１３０の構成図である。
以下、実施の形態２−１と異なる点について説明する。
【００７２】
＜＜バネ止め板１９０＞＞
点灯ユニット１２０は、バネ止め板１９０を有する。
バネ止め板１９０は、金属のバネ板製である。
図１８の（ａ）に示すように、バネ止め板１９０は、背板１９１と止め板１９２を有する。背板１９１と止め板１９２は、直交している。
背板１９１は、断面がＵ字形の折り曲げ板である。背板１９１には、２個の爪受け孔１９５がある。
止め板１９２は、中央に矩形の止め口１９３があり、一端部にそり部１９４がある。そり部１９４から、止め板１９２の中央までは、背板１９１とつながっておらず、そり部１９４は、上下に移動可能である。
図１８の（ｂ）に示すように、側部５２には、取付窓５９があり、取付窓５９の下に２個の固定爪１９７がある。
【００７３】
＜＜バネ止め板１９０の固定方法＞＞
図１８の（ｃ）に示すように、背板１９１を取付窓５９に通し、Ｕ字状の２枚の板の間に側部５２を挟んで下にスライドさせ、爪受け孔１９５を固定爪１９７に引っ掛け、バネ止め板１９０を側部５２に固定する。この時点で、止め口１９３は、スリット５５を露出させており、そり部１９４は、挿入孔５４の中央に位置している。
【００７４】
＜＜点灯ユニット１２０の固定方法＞＞
図１８の（ｄ）に示すように、固定台５０の固定部５３を天板６０の内側部６１の内側面に入れながら、挿入孔５４に舌片６８を挿入する。
舌片６８が挿入孔５４に挿入されると、舌片６８はそり部１９４を上に押上げる。
次に、点灯ユニット１２０を回転させ、スリット５５に舌片６８をスライドさせる。
舌片６８のスリット５５へのスライドにより、舌片６８は止め口１９３に嵌り込む。
止め口１９３の形状をと舌片６８の形状は同じであり、舌片６８が止め口１９３に嵌り込むと舌片６８は止め口１９３のエッジにひっかかり正転も逆転もすることができなくなる。
そり部１９４を持ち上げて舌片６８のエッジをそり部１９４のエッジからはずさなければ、舌片６８を止め口１９３から外すことはできない。
この時点で、手を放しても点灯ユニット１２０が落下することはないし、固定台５０は回転することができず、固定台５０が天板６０に固定される。
【００７５】
＊＊＊実施の形態２−２の効果の説明＊＊＊
本実施の形態によれば、点灯ユニット１２０のネジ止め作業なしで、点灯ユニット１２０を蓋ユニット１３０に固定することができる。
【００７６】
実施の形態３．
実施の形態３では、実施の形態１、２と異なる点について説明する。
本実施の形態においては、図１９から図２５により、天井埋め込み型の非常用照明器具について説明する。
【００７７】
＊＊＊照明器具３００の構成の説明＊＊＊
照明器具３００は、光源ユニット１１０と点灯ユニット１２０と枠パッキン３７０と蓋ユニット１３０とを備えている。
光源ユニット１１０は、カバー部１０と光源部２０とを有する。
点灯ユニット１２０は、点灯装置３０と電源端子台４０と固定台５０とを有する。
点灯装置３０と電源端子台４０と固定台５０とは、カバー部１０とカバー部３１０とに収納された内部部品である。
蓋ユニット１３０は、埋め込み部３６０と枠パッキン３７０とを有する。
【００７８】
＜＜カバー部１０＞＞
図２３に示すように、カバー部１０は、皿形状をしており、円盤形状をしている。
カバー部１０は、金属その他の不燃材料により形成されている。
【００７９】
カバー部１０は、前カバー１１と側カバー１２と取付部１３を有する。
前カバー１１は、側カバー１２の一端で、側カバー１２の一端を覆う前カバーである。
前カバー１１は、カバー部１０の前面を塞いでいる金属円形板である。
側カバー１２は、金属製の円錐台形のカバーである。
取付部１３は、側カバー１２の他端に形成されており、全体として帯形状をしている。
開口部１０１は、取付部１３一端に形成された円形開口である。
【００８０】
前カバー１１の出射口１４とスイッチ孔１５とネジ孔１６は、実施の形態１と同じ構成を有する。
【００８１】
図２３に示すように、取付部１３は、リング部１７とスカート部１８を有する。
スカート部１８は、前カバー１１の外周から被取付部側に向けて延びている環状面である。
リング部１７は、スカート部１８の端部から半径方向に広がった面である。
リング部１７は、軸Ｏと直交する面でありドーナツ形状をしている。
【００８２】
＜＜埋め込み部３６０＞＞
図２４と図２５に示すように、埋め込み部３６０は、ハット形状をしており、概ね筒状の形状をしている。
埋め込み部３６０は、一面に開口Ｋ２を有する有底円筒形状をしている。
埋め込み部３６０は、金属その他の不燃材料により形成されている。
埋め込み部３６０は、点灯装置３０と電源端子台４０と固定台５０とを収納した金属筐体である。
【００８３】
埋め込み部３６０は、後板３６１と側板３６２と鍔板３６３とを有する。
後板３６１は、側板３６２の一端に配置され、側板３６２の一端を覆う後カバーである。
後板３６１は、埋め込み部３６０の後部を塞いでいる金属円形板である。
後板３６１は、ボルト穴３６４と電線穴３６５とネジ穴３６６を有する。
側板３６２は、中空の円筒形あるいは円錐台形のカバーである。
側板３６２は、パイプ形状をしている金属円筒板である。
鍔板３６３は、側板３６２の他端に庇状に形成されており、全体としてドーナツ形状をしている。
鍔板３６３は、表面に、光源ユニット１１０を止めるネジがねじ込まれるネジ受け３６７を有する。
【００８４】
＜枠パッキン３７０＞
枠パッキン３７０は、樹脂製のリングであり、好適にはシリコンで製造される。
枠パッキン３７０の内周面には環状の溝が形成され、枠パッキン３７０の断面は凹形状をしている。
枠パッキン３７０は、埋め込み部３６０の鍔板３６３に取り付けられる。
枠パッキン３７０の外径は、カバー部１０のリング部１７の外径よりも大きく、枠パッキン３７０の内径は、カバー部１０のリング部１７の内径よりも小さい。
【００８５】
＜＜光源部光源ユニット１１０の防水構造と組み立て方法＞＞
光源部光源ユニット１１０の防水構造及びその組み立て方法は、実施の形態１と同じである。
よって、出射口１４から水が浸入することがない。
【００８６】
＜＜被取付部への取付方法＞＞
あらかじめ、光源ユニット１１０を組み立てておく。
また、点灯装置３０と電源端子台４０とを固定台５０の固定皿５７に固定しておく。
埋め込み部３６０の鍔板３６３に枠パッキン３７０を嵌め込む。
埋め込み部３６０に、固定脚５８をネジ止めする。
被取付部９９０からの電線を電線穴３６５に通し、固定脚５８が固定された埋め込み部３６０を配線孔９９１に挿入する。
その際、天井裏の吊ボルトをボルト穴３６４に通し、ナットで締め付け、埋め込み部３６０を被取付部９９０に固定する。こうして、枠パッキン３７０の裏面が被取付部９９０の被取付面９９２と密着する。
電線穴３６５からの電線を電源端子台４０に接続して、固定台５０の固定皿５７を固定脚５８に固定する。
次に、光源ユニット１１０のカバー部１０をネジ９１で埋め込み部３６０のネジ受け３６７に固定する。
枠パッキン３７０は、カバー部１０のリング部１７により、軸Ｏ方向に加圧され、カバー部１０のリング部１７の裏面は枠パッキン３７０の表面に密着する。リング部１７のリング面全体が、枠パッキン３７０の半径方向の幅の中央部分において、枠パッキン３７０の表面から沈み込むように取り付けられる。
以上で、照明器具３００の取付が終了する。
【００８７】
照明器具３００の防水構造は以下のような工程により組みたてられる。
（１）光源ユニット１１０の防水工程
実施の形態１と同様に、カバー部１０の出射口１４を出射部材２１と環状パッキン２２とで、さらに、カバー部１０と光源取付部２７をネジ止めして環状パッキン２２を加圧スペーサ２３で出射口１４に密着させる。
また、スイッチ孔１５をスイッチカバー１９で覆う。
（２）蓋ユニット１３０と被取付部９９０との防水工程
蓋ユニット１３０の埋め込み部３６０を被取付部９９０に固定する際に、鍔板３６３の裏面と被取付部９９０との間に枠パッキン３７０を挟んで枠パッキン３７０の裏面を被取付部９９０の被取付面９９２に密着させる。
（３）光源ユニット１１０と蓋ユニット１３０との防水工程
光源ユニット１１０のカバー部１０を蓋ユニット１３０の埋め込み部３６０に固定する際に、カバー部１０のリング部１７を枠パッキン３７０の表面に密着させる。
【００８８】
＊＊＊他の構成＊＊＊
図２６に示すように、天井埋め込み型の非常用照明器具のスイッチのオンオフに引き棒型のスイッチ３３を用いてもよい。
スイッチカバー１９は、引き棒型のスイッチ３３を貫通させた貫通孔を有する。貫通孔の内周と引き棒型のスイッチ３３の外周は密着しており、引き棒型のスイッチ３３が軸Ｏ方向に上下すると貫通孔も同じく上下するので、水が浸入することはない。
図示しないが、天井直付け型の非常用照明器具に引き棒型のスイッチ３３を用いてもよい。
【００８９】
＊＊＊実施の形態３の効果の説明＊＊＊
本実施の形態によれば、天井直付け型の非常用照明器具に用いた光源部２０、点灯装置３０、及び、電源端子台４０を、天井埋め込み型の照明器具３００の非常用照明器具に用いることができる。
また、実施の形態１と同じ構造と同じ方法で、光源部光源ユニット１１０の出射口１４における防水が可能になる。
また、枠パッキン３７０により、天井と光源ユニット１１０と埋め込み部３６０との防水が可能になる。
【００９０】
他の実施の形態．
実施の形態１、２、又は、３と異なる点について説明する。
【００９１】
実施の形態１において、実施の形態１の防水材７０の代わりに、実施の形態３の枠パッキン３７０を用いてもよい。すなわち、実施の形態３の枠パッキン３７０を、実施の形態１の天板６０の環凸部６６の周囲に被せて、防水構造を構成してもよい。枠パッキン３７０を天板６０の周囲に被せた場合、実施の形態３と同様に、枠パッキン３７０の裏面が被取付部９９０の被取付面９９２と密着し、枠パッキン３７０の表面はカバー部１０のリング部１７の端面に密着する。
【００９２】
実施の形態３において、実施の形態３の枠パッキン３７０の代わりに、実施の形態１の防水材７０から防水盤７１を取り除いたリング状の防水材７０を用いてもよい。すなわち、実施の形態１の防水材７０から防水盤７１を取り除いたリング状の防水材７０を、実施の形態３の埋め込み部３６０の鍔板３６３の周囲に被せて、防水構造を構成してもよい。防水盤７１を取り除いた防水材７０を埋め込み部３６０の周囲に被せた場合、実施の形態１と同様に、表面にある受け面７５がリング部１７の裏面と密着し、環状壁７２が側カバー１２の裏面と密着する。また、防水材７０の裏面にある防水環部７４が被取付部９９０の被取付面９９２と密着する。
【００９３】
照明器具１００は、非常用照明器具でなくてもよく、一般の照明器具であってもよい。
照明器具１００の被取付部９９０は、天井でなくてもよく、梁、桁、桟、横木、屋根、覆い、庇でもよい。照明器具１００は、天井ではなく壁面又は床面などに取り付けられてもよい。照明器具１００の取付方向は問わない。
照明器具１００は、円柱形状でなくてもよく、四角柱、五角柱、六角柱、八角柱、又は、その他の多角柱形状でもよい。円錐台、角錐台、その他の錐台形状でもよい。
各部品の固定は、ネジを用いてもよいし、接着剤を用いてもよい。
【００９４】
ソケット収納部２７１の周囲に加圧部２７３を形成して加圧スペーサ２３を嵌め込んだが、加圧部２７３を形成せず、光源取付部２７の表面に加圧スペーサ２３を固定するスペーサ設置部を設けてもよい。
あるいは、加圧スペーサ２３の形状を変えて、加圧部２７３のないソケット収納部２７１に対して、加圧スペーサ２３の一部を収納することにより加圧スペーサ２３を固定してもよい。
【００９５】
スイッチ孔１５の周辺を凹形状として、スイッチカバー１９を前カバー１１の表面から突出させないようにしてもよい。
また、ネジ孔１６の周辺を凹形状として、ネジ９１を前カバー１１の表面から突出させないようにしてもよい。
【００９６】
光源２６は、白熱ランプ、蛍光灯、複数のＬＥＤが実装されたＬＥＤ光源でもよい。また有機ＥＬを用いてもよい。
【符号の説明】
【００９７】
１０  カバー部、１０１  開口部、１１  前カバー、１２  側カバー、１３  取付部、１４  出射口、１５  スイッチ孔、１６  ネジ孔、１７  リング部、１８  スカート部、１９  スイッチカバー、２０  光源部、２１  出射部材、２１２  つば部、２２  環状パッキン、２３  加圧スペーサ、２４  ソケット、２６  光源、２７  光源取付部、３０  点灯装置、３１  基板ケース、３２  バッテリ、３３  スイッチ、４０  電源端子台、４１  端子本体、４２  端子取付板、５０  固定台、５１  板部、５２  側部、５３  固定部、５４  挿入孔、５５  スリット、５６  端子孔、５７  固定皿、５８  固定脚、５９  取付窓、６０  天板、６１  内側部、６２  平部、６３  外側部、６４  挿入孔、６５  平板部、６６  環凸部、６７  ネジ孔、６８  舌片、６９  固定ブリッジ、７０  防水材、７１  防水盤、７２  環状壁、７３  密着端、７４  防水環部、７５  受け面、７６  電線通過部、７７  ネジ通過部、７８  突起、７９  密着環部、８０  通気路、８１  通気口、８１ａ  通気口屋根、８２  位置決め凸部、８３  凹部、８４  部材開口、８５  弧状壁、９０  ネジ、９１  ネジ、９２  パッキン、９３  ネジ、９４  パッキン、９６  ネジ、９７  ネジ孔、９８  ネジ孔、１００  照明器具、１１０  光源ユニット、１２０  点灯ユニット、１３０  蓋ユニット、１４１  収納部、１４２  押え部、１４３  傾斜部、１９０  バネ止め板、１９１  背板、１９２  止め板、１９３  止め口、１９４  そり部、１９５  爪受け孔、１９７  固定爪、２４２  電線、２４３  コネクタ、２７１  ソケット収納部、２７２  コネクタ固定孔、２７３  加圧部、２７４  加圧面、２７５  位置決め面、２７６  切欠部、２７９  配線部、３００  照明器具、３１０  カバー部、３６０  埋め込み部、３６１  後板、３６２  側板、３６３  鍔板、３６４  ボルト穴、３６５  電線穴、３６６  ネジ穴、３６７  ネジ受け、３７０  枠パッキン、７４１  第１防水環部、７４２  第２防水環部、７４３  第３防水環部、７４４  第４防水環部、７７１  凸壁、９１２  ネジ、９９０  被取付部、９９１  配線孔、９９２  被取付面。
【図１】
2018097923.tif 000003
【図２】
2018097923.tif 000004
【図３】
2018097923.tif 000005
【図４】
2018097923.tif 000006
【図５】
2018097923.tif 000007
【図６】
2018097923.tif 000008
【図７】
2018097923.tif 000009
【図８】
2018097923.tif 000010
【図９】
2018097923.tif 000011
【図１０】
2018097923.tif 000012
【図１１】
2018097923.tif 000013
【図１２】
2018097923.tif 000014
【図１３】
2018097923.tif 000015
【図１４】
2018097923.tif 000016
【図１５】
2018097923.tif 000017
【図１６】
2018097923.tif 000018
【図１７】
2018097923.tif 000019
【図１８】
2018097923.tif 000020
【図１９】
2018097923.tif 000021
【図２０】
2018097923.tif 000022
【図２１】
2018097923.tif 000023
【図２２】
2018097923.tif 000024
【図２３】
2018097923.tif 000025
【図２４】
2018097923.tif 000026
【図２５】
2018097923.tif 000027
【図２６】
2018097923.tif 000028